(57)【要約】【課題】デジタルカメラにおいて、撮影画像を簡易に確認する。【解決手段】デジタルカメラ１０のＣＰＵ１０ｃは、センサ１０ａからの画像を電子ビューファインダ（ＥＶＦ）１０ｊに表示する。ユーザがレリーズボタンを操作すると、そのときの撮影画像をメモリ１０ｆのＲＡＭに蓄積し、５秒間は撮影画像をＥＶＦ１０ｊに表示する。ユーザは撮影画像（静止画像）をＥＶＦ１０ｊで確認することができる。５秒経過後、ＣＰＵ１０ｃは再びセンサ１０ａからの画像をＥＶＦ１０ｊに表示する。【選択図】        図２
2004165846.tif 000002
【特許請求の範囲】
【請求項１】
撮像素子と、
前記撮像素子で得られた画像を表示する電子ビューファインダと、
レリーズボタンが操作されたときの画像を所定時間継続して前記電子ビューファインダに表示し続ける手段と、
を有することを特徴とするデジタルカメラ。
【請求項２】
請求項１記載のデジタルカメラにおいて、さらに、
前記所定時間内は全てのボタン操作を禁止する手段と、
を有することを特徴とするデジタルカメラ。
【請求項３】
請求項１記載のデジタルカメラにおいて、さらに、
前記所定時間内は前記レリーズボタン以外のボタン操作を禁止する手段と、
を有することを特徴とするデジタルカメラ。
【請求項４】
請求項１記載のデジタルカメラにおいて、さらに、
前記レリーズボタンが操作されたときの画像を記憶する手段と、
記憶された画像を通信回線を介して送信する手段と、
前記所定時間内は前記送信する手段を機能させる作動ボタン以外のボタン操作を禁止する手段と、
を有することを特徴とするデジタルカメラ。
【発明の詳細な説明】
【０００１】
【発明の属する技術分野】
本発明はデジタルカメラ、特に電子ビューファインダ（ＥＶＦ）の表示制御に関する。
【０００２】
【従来の技術】
従来より、デジタルカメラにおいてはＣＣＤセンサやＣＭＯＳセンサで得られた画像信号を処理して電子ビューファインダ（ＥＶＦ）に表示し、光学カメラのファインダと同様にユーザが撮影すべき画像を確認し、あるいはフレーミングを可能としている。
【０００３】
また、デジタルカメラにはその背面等に液晶ディスプレイを備え、各種情報を表示するとともに、ＥＶＦに表示した画像をこの液晶ディスプレイにも表示できるようにしている。ＥＶＦではフレーミングが困難な場合、ユーザは液晶ディスクプレイに画像を表示してフレーミングすることができる。なお、撮影した画像はフラッシュメモリ等に記憶されるが、記憶された画像を表示する際にも液晶ディスプレイが用いられる。
【０００４】
【特許文献１】
特開２００２−２０９１２５号公報
【０００５】
【発明が解決しようとする課題】
一方、デジタルカメラは急速に普及し、光学カメラで撮影していた画像もデジタルカメラで取得する場合が多くなっており、例えば工事現場の写真もデジタルカメラで取得する流れが加速している。工事現場の写真をデジタルカメラで取得し、デジタル画像データ化することで、建設の事業計画、調査・設計、施工、維持管理までの施設のライフサイクル全般にわたる各種情報を電子化し、技術情報や取引情報をネットワークを介して交換及び共有し、事業全体の短縮、コスト削減、生産性向上を図ろうとするいわゆる建設ＣＡＬＳが可能となる。ところが、現場写真等をデジタルカメラで取得する場合、必ずしも電子機器の操作に習熟していなくても簡易に、かつ正確に画像データを取得できることが好ましく、より一層の構成簡素化、操作性向上が望まれている。特に、従来のように撮影画像を液晶ディスプレイに表示させてその都度確認しなければならないのは煩雑であり、レリーズボタンを操作して撮影した直後に所望の画像を撮影できたか否かを一目で確認できることが望まれている。
【０００６】
本発明は、上記従来技術の有する課題に鑑みなされたものであり、その目的は、徒に構成を複雑化することなく、所望の画像を撮影できたか否かを確認できるデジタルカメラを提供することにある。
【０００７】
【課題を解決するための手段】
上記目的を達成するために、本発明は、撮像素子と、前記撮像素子で得られた画像を表示する電子ビューファインダ（ＥＶＦ）と、レリーズボタンが操作されたときの画像を所定時間継続して前記電子ビューファインダに表示し続ける手段とを有することを特徴とする。レリーズボタンが操作されたときの画像、すなわち撮影画像を所定時間だけＥＶＦに表示することで、操作者は別途撮影画像を液晶ディスプレイに表示して確認することなく、ＥＶＦを見ながら撮影されたこと、及び撮影画像を簡易に確認することができる。
【０００８】
ここで、前記所定時間内は全てのボタン操作を禁止することが好適であり、これにより撮影画像をＥＶＦに確実に表示し続け、操作者に確認させることができる。なお、ボタン操作の禁止とは、ボタン操作を物理的に禁止する（押下げボタンの押下げ操作を禁止する等）他、ボタン操作により入力された信号あるいはコマンドを無視することを意味する。
【０００９】
また、全てのボタン操作を禁止するのではなく、前記所定時間内は前記レリーズボタン以外のボタン操作を禁止することも好適である。これにより、操作者は短時間に連続して所望の画像を撮影することができる。
【００１０】
また、全てのボタン操作を禁止するのではなく、前記所定時間内は撮影画像を送信する手段を機能させる作動ボタン以外のボタン操作を禁止することも好適である。撮影画像を電子メール形式で送信する機能を有する場合、送信ボタン操作を許容することで撮影後に直ちに送信することが可能となる。
【００１１】
【発明の実施の形態】
以下、図面に基づき本発明の実施形態について説明する。
【００１２】
図１には、本実施形態のデジタルカメラを用いた通信システムの概念図が示されている。デジタルカメラで撮影した画像をサーバに送信するシステムである。デジタルカメラ１０は無線によりインターネット１２に接続され、取得した画像データを電子メール形式でメールサーバ１４に送信する。デジタルカメラ１０から電子メールを送信する際の宛先（メールアドレス）は予めデジタルカメラ１０内のメモリに設定されており、ユーザは送信ボタンを操作するのみで所定の宛先に電子メールを送信できる。デジタルカメラ１０から直接電子メール形式で画像データを送信することで、現場作業者は容易かつ迅速に送信できる。画像データは電子メールの添付ファイルとして送信され、画像データがＪＰＥＧフォーマットで取得されている場合、ＪＰＥＧ画像データをＢａｓｅ６４等のエンコーダを用いてテキストデータに変換して送信する。
【００１３】
メールサーバ１４は、インターネット１２経由でデジタルカメラ１０から送信された電子メールを受信し、当該電子メールに添付された画像データを抽出してＡＳＰサーバ１６に供給する。デジタルカメラ１０において複数の画像データを取得し、これら複数の画像データを１通ずつ電子メール形式で送信した場合、メールサーバ１４は複数の電子メールを受信することとなり、メールサーバ１４は、各電子メールのサブジェクト（件名）のデータに基づき画像データを仕分けしてＡＳＰサーバ１６に供給する。サブジェクト内のデータとは、具体的にはプロジェクト番号であり、より詳しくはフォルダプロジェクト番号である。デジタルカメラ１０においては、送信先毎にフォルダが形成されており、取得した画像データは各フォルダにまとめて記憶される。同一送信先に異なる画像データ群を送信する場合、単一のフォルダではこれらの画像データを互いに識別することができない。そこで、デジタルカメラ１０では、これら複数の画像データを各フォルダに付されたプロジェクト番号で管理する。プロジェクト番号は、電子メールのサブジェクトに自動挿入されメールサーバ１４に送信される。メールサーバ１４では、サブジェクト内のプロジェクト番号に基づき画像データを仕分けしてＡＳＰサーバ１６に供給する。
【００１４】
ＡＳＰサーバ１６では、メールサーバ１４から供給されたプロジェクト番号毎の画像データをデータベースに記憶し、各プロジェクト番号毎に記憶された画像データを用いて所定のフォーマットに編集あるいは加工してファイルデータを生成する。同時に、ＡＳＰサーバ１６は、デジタルカメラ１０から電子メールを受信したとき、より正確にはメールサーバ１４から画像データを受信したときに、電子メールのサブジェクトに含まれるデジタルカメラ１０のＩＤに基づき当該デジタルカメラ１０を管理する管理端末を特定し、当該管理端末に受信通知を送信する。受信通知は、インターネット１２を介して電子メール形式で送信することができる。デジタルカメラ１０を管理する管理端末１８、２０は、ＡＳＰサーバ１６からの受信通知を受けることによりデジタルカメラ１０で取得された画像データが確かにＡＳＰサーバ１６に格納されたことを確認できる。複数のデジタルカメラ１０からの画像データを受信した場合、ＡＳＰサーバ１６はそれぞれのデジタルカメラ１０を管理する端末に対してそれぞれ受信通知を送信する。
【００１５】
デジタルカメラ１０の管理者は、画像データファイルが必要な際には、管理端末１８（あるいは２０）を用いてＡＳＰサーバ１６にアクセスし、ＡＳＰサーバ１６にて編集あるいは加工されたファイルデータを取得して端末の表示装置に表示する。管理者は、管理端末１８の表示装置に表示されたファイルデータを視認することで、現場においてデジタルカメラ１０で取得された画像データを確認し、さらに画像データが編集されてなる所定フォーマットのファイルを得ることができる。
【００１６】
図２には、図１におけるデジタルカメラ１０の構成ブロック図が示されている。デジタルカメラ１０は、ＣＭＯＳやＣＣＤ等のセンサ１０ａ、ＤＳＰ１０ｂ、ＣＰＵ１０ｃ、メモリインタフェースＩ／Ｆ１０ｄ、ＪＰＥＧコーデック１０ｅ、メモリ１０ｆ、通信インタフェースＩ／Ｆ１０ｇ、ビデオインタフェースＩ／Ｆ１０ｈ、信号プロセッサ１０ｉ、電子ビューファインダ（ＥＶＦ）１０ｊ及び各種ボタンを有して構成される。各種ボタンからの信号はＣＰＵ１０ｃに入力される。
【００１７】
センサ１０ａで得られた画像データはＤＳＰ１０ｂでガンマ補正や色差信号処理、輝度信号処理された後、ビデオインタフェースＩ／Ｆ１０ｈ、信号プロセッサ１０ｉを経てＥＶＦ１０ｊに表示される。レリーズボタンが操作された場合、ＣＰＵ１０ｃがレリーズボタンの操作を検知し、画像データをＪＰＥＧコーデック１０ｅによりＪＰＥＧフォーマットに変換圧縮してフラッシュメモリに記憶する。画像データをフラッシュメモリに記憶する際に、送信先毎に作成されたフォルダにて一括管理する。例えば、送信先が１，２の２箇所ある場合、送信先番号を有するフォルダ１，２が作成され、送信先１に送るべき画像データをフォルダ１に記憶し、送信先２に送信すべき画像データをフォルダ２に記憶する。ＣＰＵ１０ｃは、各送信先フォルダにプロジェクト番号を初期値から付与していく。撮影日時も同時に記憶される。
【００１８】
また、レリーズボタンが操作された場合、ＣＰＵ１０ｃはレリーズボタン操作時の画像、すなわちフラッシュメモリに記憶される画像を所定時間（例えば５秒間）だけＥＶＦ１０ｊに表示し続ける。すなわち、通常状態では、所定のサンプリングタイミングでサンプリングした画像を順次ＥＶＦ１０ｊに表示していくため、被写体が移動している場合にはその動画像がＥＶＦ１０ｊに表示されることとなるが、レリーズボタンが操作された場合にはそのときの画像データを更新せず、引き続きＥＶＦ１０ｊに表示し続ける。具体的には、レリーズボタンが操作された場合にそのときの画像データをメモリ１０ｆのＲＡＭに蓄積し、蓄積された画像データを繰り返し読み出してＥＶＦ１０ｊに表示し続ける。したがって、被写体が移動している場合でも、ＥＶＦ１０ｊにはセンサ１０ａに結像した現在の画像ではなく、レリーズボタン操作時の画像が静止画像として表示されることになる。
【００１９】
送信ボタンが操作された場合、ＣＰＵ１０ｃはこの操作を検知し、送信先フォルダ内に記憶されている画像データを電子メールの添付ファイルとしてテキストデータに変換して添付し、また、当該電子メールのサブジェクトにプロジェクト番号等のデータをフラッシュメモリから取得して自動挿入し、メールサーバ１４に送信する。ＪＰＥＧデータ（バイナリデータ）からテキストデータへの変換は、ＣＰＵ１０ｃで実行される。上記変換はＤＳＰ１０ｂで行うことも可能である。
【００２０】
通信速度が十分でない場合、複数の画像データを一度に送信すると何らかの障害により通信中断が生じうる。したがって、デジタルカメラ１０は、送信先フォルダ内に複数の画像データが格納され、これら複数の画像を送信する場合でも複数回に分けて送信することが好適である。例えば、２４枚の画像データが送信先フォルダ１に格納され、これら全てを送信する場合、１通に１枚の画像データを割り当てて合計２４通の電子メールに分けて送信する。合計２４通の電子メールの各サブジェクトのプロジェクト番号は同一である。送信先フォルダ内の全ての画像データを送信した後、ＣＰＵ１０ｃはフラッシュメモリに記憶されていた送信済みの画像データを消去し、また、当該送信先フォルダのプロジェクト番号を１だけインクリメントして次回の送信に備える。なお、複数の画像データのそれぞれには初期値からインクリメントしたユニークなｎｎｎｎｎｎｎｎｎｎ．ｊｐｇ等のファイル名を付して互いを識別する。
【００２１】
次に、図２における各種ボタンについて説明する。
【００２２】
図３には、デジタルカメラ１０の外観図が示されている。図３（Ａ）は正面図、図３（Ｂ）は背面図である。デジタルカメラ１０の背面には、ＥＶＦ１０ｊ、ステータス表示ＬＣＤ１１ｂ、電源スイッチ１１ｃ、選択ボタン１１ｅ、セットボタン１１ｆがそれぞれ設けられており、カメラ上部にはレリーズボタン１１ｄが設けられている。また、デジタルカメラ１０の正面にはレンズ１１ｉ、光量センサ１１ｈ、ストロボ１１ｇが設けられ、側部には通信カードやメモリカードを装着するためのスロット１１ｋ及びＵＳＢコネクタ１１ｊが設けられている。デジタルカメラ１０で撮影した画像データを所望の送信先に電子メールで送信する際にはカードスロット１１ｋに通信カードが装着され、画像データを外部メモリに記憶する場合、あるいは外部メモリに記憶されたバージョンアップ用プログラムをダウンロードしてデジタルカメラ１０の制御プログラムをバージョンアップする際にはメモリカードが装着される。
【００２３】
ステータス表示ＬＣＤ１１ｂは、撮影可能枚数や通信カード装着時の電波状態、電池残量等が表示される。従来のデジタルカメラでは、背面に設けられた液晶ディスプレイに撮影画像を表示するためある程度のサイズが必要であるが、本実施形態ではステータス表示ＬＣＤ１１ｂには撮影画像を表示しないため、そのサイズを小さくできる。
【００２４】
選択ボタン１１ｅは、複数の送信先から所望の送信先を選択するためのボタンであり、かつ、フラッシュメモリに記憶された画像データを電子メールで送信するための送信ボタンである。選択ボタン１１ｅを長押しするとＣＰＵ１０ｃは電子メールを作成して画像データを送信し、選択ボタン１１ｅを短押しするとＣＰＵ１０ｃはステータス表示ＬＣＤ１１ｂに送信先番号を順次変化させて表示する。
【００２５】
セットボタン１１ｆは、送信先を確定するためのボタンであり、選択ボタン１１ｅで送信先を選択した後、このセットボタン１１ｆを操作することでＣＰＵ１０ｃは送信先を確定し、確定した送信先のフォルダに撮影画像を順次記憶していく。
【００２６】
図４には、各種ボタンが操作された場合のデジタルカメラ１０の処理フローチャートが示されている。なお、以下では撮影した画像データを所望の送信先に送信する場合について説明する。
【００２７】
まず、ユーザ（現場作業者）がデジタルカメラ１０の電源スイッチ１１ｃを操作して電源をＯＮにすると（Ｓ１０１）、ＣＰＵ１０ｃはフラッシュメモリに記憶されている設定パラメータを読み出す（Ｓ１０２）。設定パラメータは、例えば送信先毎の接続条件（電話番号やＰＰＰパスワード、ＰＯＰパスワード、アカウント、電子メールの本文データ等）である。読み出した設定パラメータはＲＡＭ上に展開される。
【００２８】
次に、ＣＰＵ１０ｃはモードを識別する（Ｓ１０３）。このモード識別処理はカードスロット１１ｋに通信カードが装着されたか、メモリカードが装着されたか、或いはカードが装着されていないかのいずれであるかを識別するものである。本実施形態においては、通信カードが装着されており、ＣＰＵ１０ｃは画像データをインターネット経由で送信先に送信するモードと識別するものとする。そして、ＣＰＵ１０ｃは、センサ１０ａから得られた画像をビデオインタフェースＩ／Ｆ１０ｈ、信号プロセッサ１０ｉで処理してＥＶＦ１０ｊに表示する（Ｓ１０４）。ユーザは、ＥＶＦ１０ｊに表示された画像を視認しながら撮影すべき構図を決定し（フレーミング）、レリーズボタン１１ｄを押下げ操作する。ＣＰＵ１０ｃがレリーズボタン１１ｄの押下げ操作を検知すると、所定の撮影処理が実行され（Ｓ１０５）、得られた画像データはフラッシュメモリに記憶される。撮影処理についてはさらに詳述する。撮影後、ユーザが選択ボタン１１ｅを長押し操作するとＣＰＵ１０ｃはこれを検知し、フラッシュメモリに記憶された画像データをテキストデータに変換して電子メールを送信する（Ｓ１０６）。
【００２９】
図５には、図４における撮影処理（Ｓ１０５）の詳細フローチャートが示されている。まず、ユーザは選択ボタン１１ｅ及びセットボタン１１ｆを用いて複数用意された送信先の中から所望の送信先を選択、設定する（Ｓ２０１）。送信先は、例えば、１→２→３→４→５→１と短時間の押下げ操作ごとに巡回変化し、所望の送信先となった時点でセットボタン１１ｆを押下げ操作することにより設定される。
【００３０】
送信先が選択された後、ＣＰＵ１０ｃは撮影用の各種パラメータ、例えば露出量やストロボのＯＮ／ＯＦＦ等を取得し撮影に備える（Ｓ２０２）。センサ１０ａからの画像信号はビデオインタフェースＩ／Ｆ１０ｈ及び信号プロセッサ１０ｉでビデオ信号に変換されてＥＶＦ１０ｊに出力され画像が表示される。この状態でレリーズボタン１１ｄが操作されると（Ｓ２０３）、ＣＰＵ１０ｃはカメラモジュール、具体的にはメモリインタフェースＩ／Ｆ１０ｄ、ＲＡＭに対してレリーズボタン１１ｄ操作時の画像（撮影画像）の蓄積を指令する（Ｓ２０４）。そして、ＣＰＵ１０ｃは、ＲＡＭに蓄積された画像を読み出し、ＥＶＦ１０ｊに出力し表示する（Ｓ２０５）。これにより、センサ１０ａからの画像（リアルタイム画像）に代えて、レリーズボタン１１ｄが操作されたときの撮影画像（静止画像）がＥＶＦ１０ｊに表示される。また、ＣＰＵ１０ｃは撮影画像をフラッシュメモリに格納する（Ｓ２０６）。フラッシュメモリに格納する際、Ｓ２０１で選択された送信先のフォルダに格納する。
【００３１】
撮影画像をフラッシュメモリに格納した後、ＣＰＵ１０ｃはタイマを用いてレリーズボタン１１ｄの操作から所定時間（例えば５秒間）経過したか否かを判定する（Ｓ２０７）。所定時間が経過していない場合には、ＣＰＵ１０ｃはＥＶＦ１０ｊに撮影画像を表示し続ける。ユーザは、この撮影画像をＥＶＦ１０ｊで視認することにより、確かに画像が撮影されたこと、及び撮影画像の内容を容易に確認できる。ユーザは、ＥＶＦ１０ｊを見ながら撮影完了を確認できることに留意されたい。また、所定時間内は継続して撮影画像を表示するため、ＣＰＵ１０ｃは各種ボタン操作を禁止する（Ｓ２１０）。すなわち、ＣＰＵ１０ｃは、各種ボタンから信号が入力されても無視する。
【００３２】
一方、所定時間が経過した場合には、ＣＰＵ１０ｃはユーザが撮影完了を確認したと判定して、ＥＶＦ１０ｊにセンサ１０ａからの画像（リアルタイム画像）を再び表示し（Ｓ２０８）、また、ボタン操作を許容する（Ｓ２０９）。これにより、次の画像の撮影や画像データの電子メール送信が可能となる。
【００３３】
図６には、ＥＶＦ１０ｊに表示される画像の変化状態が示されている。図において、横軸は時間である。電源スイッチ１１ｃをオンすると、ＣＰＵ１０ｃはセンサ１０ａで得られた画像をＥＶＦ１０ｊに表示する（通常画像）。この画像を視認することで、ユーザはフレーミングを行い撮影すべき画像を決定する。ユーザがレリーズボタン１１ｄを操作すると、ＣＰＵ１０ｃはそのときの画像をＲＡＭに蓄積し、蓄積した画像を５秒間継続してＥＶＦ１０ｊに表示する（撮影画像）。ユーザはレリーズボタン１１ｄを操作したときの静止画像がＥＶＦ１０ｊに表示されるため、確かに所望画像が撮影されたことをＥＶＦ１０ｊを見ながら確認することができる。従来のデジタルカメラにおいては、ＥＶＦ１０ｊに表示される画像は通常画像であり、撮影画像は別途液晶ディスプレイに表示することで確認している。本実施形態では、ＥＶＦ１０ｊが撮影画像（静止画像）に変化することで、撮影されたこと、及び撮影画像を撮影直後にＥＶＦ１０ｊ自体で確認することができる。撮影画像をＥＶＦ１０ｊに表示している間（５秒間）は、ＣＰＵ１０ｃは他のボタン操作を禁止してその入力を受け付けない。これにより、撮影画像（静止画像）を一定時間確実に表示してユーザに提示することが可能となる。
【００３４】
５秒間経過した後、ＣＰＵ１０ｃは再びセンサ１０ａで得られた画像をＥＶＦ１０ｊに表示し（通常画像）、ユーザに対して次の撮影が可能であることを知らせる。ＥＶＦ１０ｊに表示された通常画像を用いてユーザはフレーミングし、再びレリーズボタン１１ｄを操作すると、ＣＰＵ１０ｃは再びそのときの画像をＲＡＭに蓄積し、通常画像の代わりに蓄積した撮影画像を５秒間だけＥＶＦ１０ｊに表示する。５秒間は他のボタン操作が禁止され、５秒後に再び通常画像に復帰する。
【００３５】
このように、本実施形態では、ＥＶＦ１０ｊを用いて撮影画像を表示するため、従来のように液晶ディスプレイに別途撮影画像を表示して確認する必要がなくなり、ユーザはＥＶＦ１０ｊから目を離すことなく簡易に、かつ迅速に撮影が確かに行われたこと、及び撮影画像を確認することができる。
【００３６】
なお、本実施形態では、ＥＶＦ１０ｊに５秒間だけ撮影画像（静止画像）を表示しているが、撮影画像を表示し続ける時間はユーザが任意に設定することができる。
【００３７】
図７には、ユーザがデジタルカメラ１０の設定パラメータ（撮影画像の表示継続時間も設定パラメータの一つである）を変更する場合の構成図が示されている。デジタルカメラ１０のＵＳＢコネクタ１１ｊにＵＳＢケーブルを介してパーソナルコンピュータ（ＰＣ）が接続される。また、デジタルカメラ１０のカードスロット１１ｋにはメモリカード２２が挿入される。デジタルカメラ１０のＣＰＵ１０ｃは、ＵＳＢコネクタ１１ｊに外部機器が接続されていることを認識すると、通常撮影モードではなく設定モードに移行し、ＰＣから入力されたパラメータ値を新たにフラッシュメモリに書き込んで設定パラメータを変更する。また、メモリカード２２にバージョンアップ用プログラムが含まれている場合には、ＣＰＵ１０ｃはダウンローダを起動し、バージョンアッププログラムをフラッシュメモリにダウンロードする。
【００３８】
以上、本発明の実施形態について説明したが、本発明はこれに限定されるものではなく、種々の変更が可能である。
【００３９】
例えば、本実施形態では、撮影画像をＥＶＦ１０ｊに表示している間は全てのボタン操作を禁止しているが、連続撮影を可能とするためにレリーズボタン１１ｄの操作のみを許容することも可能である。すなわち、ある時刻においてユーザがレリーズボタン１１ｄを操作すると、そのときから５秒間はＥＶＦ１０ｊに撮影画像が表示されるが、ユーザが１秒程度でこの撮影画像を確認し、５秒経過する前にレリーズボタン１１ｄを操作した場合、ＣＰＵ１０ｃはそのときにセンサ１０ａで得られた画像をＲＡＭに蓄積して新たな撮影画像をＥＶＦ１０ｊに表示するとともに、その撮影画像をフラッシュメモリに記憶する。５秒経過する前にユーザがレリーズボタン１１ｄを「半押し」した場合にＣＰＵ１０ｃは今まで表示していた撮影画像の表示を中止しセンサ１０ａからの通常画像をＥＶＦ１０ｊに表示してフレーミングを可能とし、その後ユーザがレリーズボタン１１ｄを「全押し」した場合にそのときの撮影画像をフラッシュメモリに記憶することも好適である。公知のオートフォーカスカメラにおいては、レリーズボタンの半押しでフォーカス調整、全押しで撮影という操作が知られており、このような半押しでの撮影準備、全押しでの撮影実行という操作もユーザにとり違和感のないものである。
【００４０】
また、撮影画像をＥＶＦ１０ｊに表示している間に、選択ボタン（送信ボタンを兼用）１１ｅの操作のみを許容することも好適である。すなわち、ある時刻においてユーザがレリーズボタン１１ｄを操作すると、そのときから５秒間はＥＶＦ１０ｊに撮影画像が表示されるが、ユーザが１秒程度でこの撮影画像を確認し、５秒経過する前に選択ボタン１１ｅを長押しした場合（送信ボタンを操作した場合）、ＣＰＵ１０ｃは撮影画像のＥＶＦ１０ｊへの表示を中止し、フラッシュメモリの送信先フォルダに記憶されている全画像データを電子メールで送信する。これにより、必要な画像の撮影を完了した後に直ちに画像をサーバに送信することができる。
【００４１】
デフォルト状態においてデジタルカメラ１０の制御プログラムが５秒間のボタン操作を禁止するものである場合、図７に示された構成で新たなプログラムをダウンロードしてフラッシュメモリ内の制御プログラムを書換え、レリーズボタン１１ｄの操作のみを許容、あるいは送信ボタンの操作のみを許容するように設定すればよい。
【００４２】
【発明の効果】
以上説明したように、本発明によれば、電子ビューファインダ（ＥＶＦ）を用いて撮影画像を直ちに確認することができる。
【図面の簡単な説明】
【図１】デジタルカメラを用いたシステム概念図である。
【図２】デジタルカメラの構成ブロック図である。
【図３】デジタルカメラの外観図である。
【図４】デジタルカメラの全体処理フローチャートである。
【図５】図４における撮影処理の詳細フローチャートである。
【図６】ＥＶＦの画像変化説明図である。
【図７】デジタルカメラとＰＣの接続状態説明図である。
【符号の説明】
１０  デジタルカメラ、１０ｊ  電子ビューファインダ（ＥＶＦ）、１１ｄ  レリーズボタン。
【図１】
2004165846.tif 000003
【図２】
2004165846.tif 000004
【図３】
2004165846.tif 000005
【図４】
2004165846.tif 000006
【図５】
2004165846.tif 000007
【図６】
2004165846.tif 000008
【図７】
2004165846.tif 000009